(57)【要約】【課題】  従来機能を残し、市町村等の自治体地図上に移動局の位置を表示する。【解決手段】  限られたサービスエリアにおいてディジタル無線通信により通信を行う基地局１及び移動局３０−１、３０−２、３０−３を備える。移動局３０−１、３０−２、３０−３は、位置情報を受信するＧＰＳ受信機と、前記ディジタル無線通信において用いる制御チャネルを介して前記ＧＰＳ受信機が受信している位置情報と当該移動局の識別情報とを送信する。前記基地局１は、移動局３０−１、３０−２、３０−３から送信されてくる情報に基づき地図上に移動局の位置を示した画像を作成する。【選択図】  図１
2006229791.tif 000002
【特許請求の範囲】
【請求項１】
限られたサービスエリアにおいてディジタル無線通信により通信を行う基地局及び移動局を備える自治体ディジタル通信システムにおいて、
前記移動局には、位置情報を受信するＧＰＳ受信機と、前記ディジタル無線通信において用いる制御チャネルを介して前記ＧＰＳ受信機が受信している位置情報と当該移動局の識別情報とを送信する情報送信手段とが具備されており、
前記基地局には、移動局から送信されてくる情報に基づき地図上に移動局の位置を示した画像を作成する作成手段が具備されていることを特徴とする自治体ディジタル通信システム。
【請求項２】
前記情報送信手段は、前記ＧＰＳ受信機が受信している位置情報に変化が無いときには、情報の送信を停止することを特徴とする請求項１に記載の自治体ディジタル通信システム。
【請求項３】
前記情報送信手段は、制御チャネルにおける空きタイムスロットを獲得して情報の送信を行うことを特徴とする請求項１または請求項２に記載の自治体ディジタル通信システム。
【発明の詳細な説明】
【技術分野】
【０００１】
この発明は、ディジタル無線通信により限られたサービスエリアにおいて通信を行う基地局及び移動局を備える自治体ディジタル通信システムに関し、特に、移動局の位置を知ることが可能な自治体ディジタル通信システムに関するものである。
【背景技術】
【０００２】
従来の自治体ディジタル通信システムにおいては、移動局の位置に関しては複数の中継基地局のいずれかにあることを捕らえることはできたが、市町村地図の上に表示することはできていない。自治体ディジタル通信システムにおいて、移動局の役割は、例えば、災害時に基地局がある市町村役場と災害現場との連絡である。災害発生時に災害現場の状況を一刻も早く把握することは重要であり、そのために移動局の現在位置を把握して、より近い移動局を災害現場へ向かわせることは極めて重要である。
【０００３】
自治体ディジタル通信システムではないが、ＧＰＳ受信機により移動局の位置情報を得て基地局へ送り、地図上に移動局の位置、移動軌跡及び時間を表示するようにしたシステムが特許文献１に記載されている。
【特許文献１】特開平５−８０１４１号公報
【０００４】
しかしながら、上記特許文献１のシステムでは、同一周波数にて多数の人が利用できるように、タイマを用いてタイムスロットを管理しており、特殊なシステムであり、自治体ディジタル通信システムに適用できない。
【発明の開示】
【発明が解決しようとする課題】
【０００５】
本発明が解決しようとする課題は、自治体においてディジタル無線通信により限られたサービスエリアにおいて通信を行うシステムを改良し、従来の自治体ディジタル通信システムの機能を残し、市町村等の自治体地図上に移動局の位置を表示することが可能な自治体ディジタル通信システムを提供することである。
【課題を解決するための手段】
【０００６】
本発明に係る自治体ディジタル通信システムは、限られたサービスエリアにおいてディジタル無線通信により通信を行う基地局及び移動局を備える自治体ディジタル通信システムにおいて、前記移動局には、位置情報を受信するＧＰＳ受信機と、前記ディジタル無線通信において用いる制御チャネルを介して前記ＧＰＳ受信機が受信している位置情報と当該移動局の識別情報とを送信する情報送信手段とが具備されており、前記基地局には、移動局から送信されてくる情報に基づき地図上に移動局の位置を示した画像を作成する作成手段が具備されていることを特徴とする。
【０００７】
本発明に係る自治体ディジタル通信システムでは、前記情報送信手段は、前記ＧＰＳ受信機が受信している位置情報に変化が無いときには、情報の送信を停止することを特徴とする。
【０００８】
本発明に係る自治体ディジタル通信システムでは、前記情報送信手段は、制御チャネルにおける空きタイムスロットを獲得して情報の送信を行うことを特徴とする。
【発明の効果】
【０００９】
本発明では、ディジタル無線通信において用いる制御チャネルを介してＧＰＳ受信機が受信している位置情報と当該移動局の識別情報とを送信し、基地局において、移動局から送信されてくる情報に基づき地図上に移動局の位置を示した画像を作成するので、自治体ディジタル通信システムにおける通信通話のチャネルを使用することなく、適切に地図上に移動局の位置を示した画像を得ることができる。
【発明を実施するための最良の形態】
【００１０】
本発明では、適切に地図上に移動局の位置を示した画像を表示するという目的を、ディジタル無線通信において用いる制御チャネルを介してＧＰＳ受信機が受信している位置情報と当該移動局の識別情報とを送信することにより達成したものである。
【実施例】
【００１１】
以下添付図面を参照して、本発明に係る自治体ディジタル通信システムを説明する。図１には、本発明に係る自治体ディジタル通信システムの構成図が示されている。このシステムは、市町村役場基地局１に統制卓１１が備えられ、統制卓１１には、基地局無線装置１０が接続されている。
【００１２】
基地局無線装置１０は、所定の直径を有するサービスエリアＳ内の移動局３０−１、３０−２、３０−３、・・・と無線通信可能である。各移動局３０−１、３０−２、３０−３、・・・は、同一の構成を有しており、例えば、図２に示すように構成される。各移動局３０−１、３０−２、３０−３、・・・は、各部を統括する制御部３１と、制御部３１に接続され、基地局無線装置１０との間でディジタル無線通信により通信を行う移動局無線機３２を備えている。
【００１３】
上記制御部３１には、位置情報を受信するＧＰＳ受信機３３と、移動局無線機３２を介して音声通話を行うための通話回路やマイクロホン及びスピーカ等を備えた音声通話部３４と、移動局無線機３２を介して例えばカメラにて撮影した画像等を送るなどのデータ通信を行うデータ送受信部３５が接続されている。
【００１４】
一方、市町村役場基地局１には、統制卓１１に音声通話を行える通信端末１３−１、１３−ｎが接続されていると共に、移動局をワンタッチで呼び出す呼出キー１２が複数備えられ、モニタ１９が備えられている。
【００１５】
更に、統制卓１１には、例えば、ＬＡＮ１４を介して統制卓１１、位置情報管理サーバ１６、モニタ１７を備えるパーソナルコンピュータ１８が接続されている。パーソナルコンピュータ１８は複数台接続されるが、簡素化して示している。
【００１６】
以上のように構成された自治体ディジタル通信システムにあっては、基地局無線装置１０と移動局３０−１、３０−２、３０−３、・・・が用いているディジタル無線通信において、通話チャネルと制御チャネルとを用いており、制御チャネルは、例えば、図３に示されるようにｎ個のタイムスロットに分けられており、呼制御に用いられている。このタイムスロットに設定される情報のヘッダ（先頭部分）には、情報の内容を示すコントロールデータが配置され、これにより、着信、発呼要求等を検出することができる。本実施例では、上記ヘッダにおけるコントロールデータによって、当該タイムスロットには移動局の位置情報が配置されていることを示し、このヘッダに次いで実際の位置情報をセットするようにして、位置情報送信を行う。図３に示されるタイムスロットは例えば、基地局無線装置１０から移動局３０−１、３０−２、３０−３、・・・への送信用タイムスロットであり、同様のｎ個のタイムスロットが次に到来し、移動局３０−１、３０−２、３０−３、・・・から基地局無線装置１０への送信に用いられる。
【００１７】
移動局３０−１、３０−２、３０−３、・・・の制御部３１は、プロセッサにより構成されており、図４に示されているフローチャートに対応するプログラムにより位置情報送信の動作を行うので、以下に図４のフローチャートに従って動作を説明する。制御部３１は、移動局無線機３２を起動して基地局無線装置１０から発せられる電波の受信及び該当する基地局識別情報の検出をトライし（Ｓ１）、該当市町村基地局の圏内となっているか否かを検出する（Ｓ２）。
【００１８】
上記ステップＳ２においてＮＯとなると、再びステップＳ１へ戻って処理を続ける。一方、上記ステップＳ２において圏内であることが検出されると、ＧＰＳ受信機３３から当該移動局の位置情報（緯度経度）を得ると共に（Ｓ３）、移動局無線機３２が送信する制御チャネルの空きスロットを取得して（Ｓ４）、当該スロットに上記で取得した位置情報と当該移動局の識別情報をセットし、位置情報が配置されていることを示すヘッダを付して送信する（Ｓ５）。以降、所定の時間毎にステップＳ１へ戻って処理を続ける。
【００１９】
以上の動作によって、制御部３１は、ディジタル無線通信による基地局のサービスエリアに入ったことを検出し、ディジタル無線通信において用いる制御チャネルを介してＧＰＳ受信機が受信している位置情報と当該移動局の識別情報とを送信する情報送信手段を実現している。また、制御チャネルの空きスロットを用いて送受信を行うことができるので、別の通信手段を必要とせず、ディジタル通信システムが動作していれば送受信を行うことができる。
【００２０】
上記の移動局３０−１、３０−２、３０−３、・・・の動作に対して、統制卓１１に備えられているプロセッサにより構成される制御部は、図５に示されているフローチャートに対応するプログラムにより位置情報受信の動作を行うので、以下に図５のフローチャートに従って動作を説明する。制御部は、基地局無線装置１０にて受信した制御チャネルの各タイムスロットにセットされた情報を取り出し（Ｓ１１）、ヘッダを分析して位置情報の通知であるか又はその他の情報であるかを検出する（Ｓ１２）。
【００２１】
ステップＳ１２における分析の結果、位置情報の通知であることが検出されると、タイムスロット内にセットされた位置情報及び移動局の識別情報を取り出し、位置情報管理サーバ１６へ送信する（Ｓ１３）。一方、ステップＳ１２における分析の結果、位置情報の通知以外のその他の情報であることが検出されると、セットされた制御内容に応じた処理（着信等）を行う（Ｓ１４）。
【００２２】
上記統制卓１１から送られる位置情報及び移動局の識別情報を受け取る位置情報管理サーバ１６には、当該市町村の地図データが記憶されていると共に、図６に示されているフローチャートに対応するプログラムにより移動局を上記地図に表示する動作を行うので、以下に図６のフローチャートに従って動作を説明する。位置情報管理サーバ１６は、位置情報及び移動局の識別情報を受け取り（Ｓ２１）、移動局の位置情報に対応する地図上の位置を検出する（Ｓ２２）。
【００２３】
次に、位置情報管理サーバ１６は、上記で検出した地図上の位置に、移動局を示すマーク及び移動局の識別情報を重ねた画像を作成して当該位置情報管理サーバ１６のデータベースに登録する（Ｓ２３）。以上のようにして、位置情報管理サーバ１６は、移動局から送信されてくる情報に基づき地図上に移動局の位置を示した画像を作成する作成手段を実現している。
【００２４】
パーソナルコンピュータ１８や統制卓１１では、上記位置情報管理サーバ１６のデータベースにアクセスして、地図上に移動局を示すマーク及び移動局の識別情報を重ねた画像を取り出し、モニタ１９、１７へ表示する。これによって、移動局３０−１、３０−２、３０−３、・・・の位置がその移動局の識別情報と共に表示され、所望の位置にある移動局を特定して統制卓１１から呼び出すことができる。
【００２５】
なお、上記の例では、位置情報管理サーバ１６のデータベースに、地図上に移動局を示すマーク及び移動局の識別情報を重ねた画像を蓄積し、外部からのアクセスにより取り出すようにしたが、位置情報管理サーバ１６上記作成した画像をパーソナルコンピュータ１８や統制卓１１など所定の宛先へ送信するようにしてもよい。また、無線基地局として機能する基地局無線装置１０を１つとしたが、無線基地局（中継基地局）を複数設けて、各基地局のサービスエリアに移動局が入った場合にＧＰＳ受信機３３が受信している位置情報と当該移動局の識別情報とを送信する構成であってもよい。
【００２６】
図７には、移動局３０−１、３０−２、３０−３、・・・の制御部３１により行われる位置情報送信の動作の変形例を示す。このフローチャートでは、図４のフローチャートにおいて、ステップＳ３とステップＳ４との間にステップＳ６を実行するようにしたものである。即ち、ＧＰＳ受信機３３から当該移動局の位置情報（緯度経度）を得ると（Ｓ３）、記憶してある前回の位置情報と同一であるかを検出し（Ｓ６）、同一でない場合にのみステップＳ４へ進んで移動局無線機３２が送信する制御チャネルの空きスロットを取得する。即ち、ＧＰＳ受信機が受信している位置情報に変化が無いときには、情報の送信を停止することにより、無駄な通信を抑制し、制御チャネルの空きスロット確保を可能にしたものである。
【図面の簡単な説明】
【００２７】
【図１】本発明に係る自治体ディジタル通信システムの実施例構成を示すブロック図。
【図２】本発明に係る自治体ディジタル通信システムに用いられる移動局の実施例構成を示すブロック図。
【図３】本発明に係る自治体ディジタル通信システムにおける通信で採用される制御チャネルの構成示す図。
【図４】本発明に係る自治体ディジタル通信システムにおける位置情報送信動作を説明するフローチャート。
【図５】本発明に係る自治体ディジタル通信システムにおける位置情報受け取り動作を説明するフローチャート。
【図６】本発明に係る自治体ディジタル通信システムにおける画像作成動作を説明するフローチャート。
【図７】本発明に係る自治体ディジタル通信システムにおける位置情報送信動作の変形例を説明するフローチャート。
【符号の説明】
【００２８】
１  市町村役場基地局
１０  基地局無線装置
１１  統制卓
１３−１〜１３−ｎ  通信端末
１２  呼出キー
１４  ＬＡＮ
１６  位置情報管理サーバ
１７、１９  モニタ
３０−１、３０−２、３０−３  移動局
３１  制御部
３２  移動局無線機
３３  ＧＰＳ受信機
３４  音声通話部
３５  データ送受信部
【図１】
2006229791.tif 000003
【図２】
2006229791.tif 000004
【図３】
2006229791.tif 000005
【図４】
2006229791.tif 000006
【図５】
2006229791.tif 000007
【図６】
2006229791.tif 000008
【図７】
2006229791.tif 000009